(57)【要約】【課題】  毛髪にパーマをかける際、従来の技術では、困難であった均一な波形を形成することができるパーマ用脱着式フィルムとパーマ用脱着式フィルムの使用法を提供する。【解決手段】パーマ用のロット（２）に巻きつける、略四角形で非透水性のフィルム本体（１１）と、その上辺（１４）の左右につまみ部（１２）を備え、上辺（１４）の中央部に切り欠き（１８）を有し、つまみ部（１２）を持ち双方に外方向に引っ張ることで、フィルム本体（１１）が、切り欠き（１８）から裂けるようにしたことを特徴とするパーマ用脱着式フィルム。【選択図】図１
2018027280.tif 000002
【特許請求の範囲】
【請求項１】
パーマ用のロット（２）に巻きつける、略四角形で非透水性のフィルム本体（１１）と、その上辺（１４）の左右につまみ部（１２）を備え、上辺（１４）の中央部に切り欠き（１８）を有し、つまみ部（１２）を持ち双方に外方向に引っ張ることで、フィルム本体（１１）が、切り欠き（１８）から裂けるようにしたことを特徴とするパーマ用脱着式フィルム。
【請求項２】
前記フィルム本体（１１）の長さは、使用するロット（２）の外径の１周以上の長さであることを特徴とする請求項１記載のパーマ用脱着式フィルム。
【請求項３】
前記フィルム本体（１１）の幅は、使用するロット（２）に毛髪（３）を巻きつけた際、毛髪（３）を覆うほどの幅をもたせたことを特徴とする請求項１又は２に記載のパーマ用脱着式フィルム。
【請求項４】
前記フィルム本体（１１）に、切り欠き（１８）から下辺（１５）まで到達するフィルムの厚さを薄くした溝（１３）を備えることで、裂け易いようにしたことを特徴とする請求項１から３のいずれかに記載のパーマ用脱着式フィルム。
【請求項５】
前記フィルム本体（１１）は、フィルム本体の長さ方向に裂け易いようにしたことを特徴とする請求項１から４のいずれかに記載のパーマ用脱着式フィルム。
【請求項６】
下記の工程からなる、請求項１から５のいずれかに記載のパーマ用脱着式フィルムを用いたパーマネント加工法。
（ａ）毛先部（３４）から第１境界部（３１）まで、第１の１剤（４）を付着させる。
（ｂ）毛髪（３）を第１境界部（３１）までロット（２）に巻き、フィルム本体（１１）の上辺（１４）が、第１境界部（３１）に重なるようパーマ用脱着式フィルム（１）を装着する。
（ｃ）第１境界部（３１）まで巻き込んだ後、第１境界部（３１）から第２境界部（３２）まで第２の１剤（４１）を塗布する。
（ｄ）第２境界部（３２）までパーマ用脱着式フィルム（１）を装着し、根元部（３３）まで巻き込む。
（ｅ）根元部（３３）まで巻き込まれた毛束（３）に、第３の１剤（４２）を塗布する。
（ｆ）それぞれの箇所に適正な還元がなされた後、２枚のパーマ用脱着式フィルム（１）を外し、酸化２剤（４３）を毛束（３）に塗布し、毛髪（３）全体に付着させる。
【発明の詳細な説明】
【技術分野】
【０００１】  本発明は、パーマを施術する際、ロットに毛束に巻きつけたパーマ用脱着式フィルムを、ロットに髪を巻きつけたままを外すことのできるパーマ用脱着フィルムに関する。
【背景技術】
【０００２】  パーマとは、円柱状のロットに毛髪を巻きつけ、その毛髪にパーマ剤を付着させ、毛髪内部のたんぱく質の配列を変えることで永続的に波形を形成させるものである。
大きさの異なる波形を形成するために用いられる手法としてロットの太さによって形成する方法と、１剤の還元力を調整し、均一な波形を形成しようとする方法とがある。
毛髪自体の形状を波形にするためには１剤もしくは１液と呼ばれる還元剤を毛髪に付着させ、毛髪内部のたんぱく質の結合を切断し、その状態のままブロム酸や過酸化水素などが配合された酸化剤２剤もしくは２液を塗布し、先に切断したたんぱく質を再結合させロットに巻かれた形状に変化させるものである。
【先行技術文献】
【特許文献】
【０００３】
【特許文献１】  特開２００５−２０３４８公報
【発明の概要】
【発明が解決しようとする課題】
【０００４】  毛髪は頭皮から伸びるもので根元付近は新しく、毛先に行くほど古くなり髪の表面（キューティクル）や髪内部のたんぱく質がシャンプーやヘアカラーなどで損傷している場合が多く、パーマをかける際、使用する１剤の還元反応が根元、中間、毛先とそれぞれの箇所で異なり、求める波形を得られないといった問題点があった。現在の技術では毛髪の損傷度に合わせて還元力に差をつけた１剤をそれぞれの箇所に分けて付着させることで、その異なる還元反応を補っていた。又、他の方法として、先に損傷部分に１剤の還元力を弱めるためのトリートメント剤を付着させ、過度な還元反応を抑えることで波形を調節していた。しかし、始めに塗り分けた１剤やトリートメント剤が、ロットに巻かれることによって干渉し合い、求める結果になりにくかった。【０００５】  ロットを使用してパーマをかける場合、毛先から根元に向かって巻いていくとロット上で雪だるま式に毛髪が重なり合い、根元付近の円周は毛先で巻かれた円周より太くなる。たとえば円周が３０ｍｍのロットに長さ３０ｃｍ、厚さ１ｍｍの毛束を巻き付けた場合、１周するごとに１ｍｍずつ毛髪の層が出来、根元付近まで巻き込まれた場合の円周はおよそ２０ｍｍ太くなり均等な波形を作ることが困難だった。つまり、毛髪を複数箇所に分けて、波形を調節することができなかった。【０００６】  特許文献１にはパーマ用シート及びそのパーマ用シートを用いたパーマ方法が記載されている。しかし、この技術は毛髪の根元付近にパーマをかける技術であってシートの内側に巻かれた根元以外の毛髪にはパーマをかけることが出来ないという問題点があった。
【課題を解決するための手段】
【０００７】  使用するロット（２）の外径を１周以上する長さで、幅はロット（２）に巻かれた毛髪（３）を覆うほどの幅をもたせたパーマ用脱着式フィルム（１）で、ロット（２）にパーマ用脱着式フィルム（１）を、毛髪（３）と共に巻きつけた際、フィルム本体（１１）の内側と外側に境界を作ることで、還元力を変えた１剤を、数箇所に分けて塗布した際、混ざりあわないよう付着させる事が出来る。
略四角形で非透水性のフィルム本体（１１）は、その上辺（１４）の左右につまみ部（１２）を備え、上辺（１４）の中央部に切り欠き（１８）を有する。そのつまみ部（１２）を持ち、双方に外方向に向け引っ張ることで、フィルム本体（１１）が、切り欠き（１８）から裂け、毛髪（３）をロット（２）に巻きつけたまま外すことで、酸化２剤（４３）を髪全体に付着させることが出来る。
溝を有せず、縦に裂け易く延伸したフィルム等、裂け易さの方向が異なる異方性の素材を使用し、切り欠き（１８）から下辺（１５）まで、フィルム本体の長さ方向に裂け易いようにする構造でもよい。【０００８】  毛髪（３）の根元部（３３）から毛先部（３４）までを３箇所に分け、第１の１剤（４）第２の１剤（４１）第３の１剤（４２）を使用する場合、その第１境界部（３１）第２境界部（３２）に、前記パーマ用脱着式フィルム（１）を毛髪（３）と共に巻き込むことで、パーマ用脱着式フィルム（１）が境界壁となり、第１の１剤（４）第２の１剤（４１）第３の１剤（４２）をそれぞれの箇所に分けて付着させる事ができる請求項１のパーマ用脱着式フィルム（１）を使用したパーマの施術方法。
【発明の効果】
【０００９】  通常、毛先部（３４）から根元部（３３）に向かって巻き込む場合、図４（ｂ）のように根元付近の波形の大きさに比べ、毛先付近は波形が小さくなるが、パーマ用脱着式フィルム（１）を使用した場合、図４（ａ）のように根元部（３３）から毛先部（３４）まで同じ波形を作ることが出来る。
大きさの異なる波形を形成するために用いられる手法として、ロットの太さによって形成する方法と、１剤の還元力に差をつけ、異なる波形を形成する方法とがあり、その両方の利点を生かし波形を自由に形成することが可能となった。
また、毛髪の損傷度に合わせ還元力に差をつけて配合した第１の１剤（４）、第２の１剤（４１）、第３の１剤（４２）を、各箇所に分けて付着させ、パーマ用脱着式フィルム（１）によって境界壁をつくることで、今までにない的確な施術を行うことが出来る【００１０】  前記の発明が解決しようとする課題の中で、特許文献１では解決されていなかった毛髪をロットに巻いた状態で、パーマ用シートの内側に２剤を付着させることも可能となり、又、複雑な構造や技術を要するものでなく、より簡易な技術で波形を調整することが出来る。
【図面の簡単な説明】
【００１１】
【図１】パーマ用脱着式フィルムの構成  （ａ）引っ張る前  （ｂ）左右に引っ張った状態
【図２】パーマ用脱着式フィルムの使用方  （ａ）パーマ用脱着フィルム（イ）（ロ）を装着  （ｂ）パーマ用脱着フィルム（ロ）を外す  （ｃ）パーマ用脱着フィルム（イ）を外す
【図３】パーマ用脱着フィルムの全体使用図  （ａ）第１の１剤（４）を第１境界部（３１）まで塗布  （ｂ）第１境界部（３１）までロット（２）に毛髪（３）を巻き、バーマ用脱着式フィルム（１）を装着  （ｃ）第２の１剤（４１）を第２境界部（３２）まで塗布  （ｄ）パーマ用脱着式フィルム（１）を装着  （ｅ）第３の１剤（４２）を塗布  （ｆ）２枚のパーマ用脱着式フィルム（１）を外し、酸化２剤（４３）を塗布
【図４】パーマ用脱着フィルムの効果を表した図  （ａ）均等な波形図  （ｂ）異なった波形図
【発明を実施するための形態】
【００１２】図１は、パーマ用脱着式フィルムの構成を示す。（ａ）は引っ張る前、（ｂ）は左右に引っ張った状態である。
フィルム本体（１１）の上辺（１４）の左右に設置されたつまみ部（１２）からなるパーマ用脱着式フィルム（１）で、つまみ部（１２）は毛髪（３）をロット（２）に巻いた際、両側から指で摘めるよう突出させる。フィルム本体（１１）の左辺（１６）、右辺（１７）の長さは、使用するロットの径の１周以上の長さをもたせ、上辺（１４）、下辺（１５）の幅は、使用するロット（２）より少し短く巻かれた毛髪が完全に覆いかぶさるほどの幅で、略四角形で非透水性のフィルム本体（１１）と、上辺（１４）の上部に、フィルム本体（１１）の中央部に切り欠き（１８）を有し、つまみ部（１２）を持ち双方に外方向に引っ張ることで、フィルム本体（１１）が、溝（１３）に沿って、切り欠き（１８）から裂けるようにしたことを特徴とするパーマ用脱着式フィルム。
【００１３】次に、図２で本発明のパーマ用脱着フィルムの使用方法について説明する。
（ａ）は、２枚のパーマ用脱着フィルムを装着した状態、（ｂ）は１枚目のパーマ用脱着フィルムを外した状態、（ｃ）２枚目のパーマ用脱着フィルムを外した状態を示す。
【００１４】図３（ａ）から（ｆ）で、本発明のパーマ用脱着式フィルムを用いたパーマのかけ方をしめす。
（ａ）毛髪診断にて長さや状態を確認し、形成させる波形の形状を決め、それに適合したロット（２）のサイズと毛髪（３）の状態に合わせた第１の１剤（４）第２の１剤（４１）第３の１剤（４２）を選定する。ここでは毛髪（３）に３連の波形を形成する方法を挙げる。Ｓ字状の波形を１つとし、毛髪（３）に３つの波形を形成しようとするとき、毛髪（３）のうち、毛先部（３５）から３分の１ほどの所までを第１境界部（３１）とし、第１の１剤（４）を第１境界部（３１）から毛先部（３４）まで付着させる。
（ｂ）毛髪（３）を第１境界部（３１）まで、ロット（２）に巻き込み、フィルム本体（１１）の上辺（１４）が、第１境界部（３１）に重なるようパーマ用脱着式フィルム（１）を装着する。
（ｃ）第１境界部（３１）まで巻き込んだのち、毛髪（３）の毛先部（３３）から３分の２ほどの所までを第２境界部（３２）とし、第２の１剤（４１）を塗布する。
（ｄ）第２境界部（３２）までパーマ用脱着式フィルム（１）を装着し、根元部（３３）まで巻き込む。
（ｅ）根元部（３３）まで巻き込まれた毛束（３）に第３の１剤（４２）を塗布する。
（ｆ）それぞれの箇所に適正な還元がなされた後、パーマ用脱着式フィルム（１）を外し、ロット（２）に巻きつけた状態で、毛束（３）全体に酸化２剤（４３）を塗布し付着させる。
【００１５】  以上のように、パーマ用脱着式フィルム（１）を使用することで前記の問題点を解決できる。本発明は毛髪（３）に均一な波形を形成できるよう毛髪（３）に第１，２境界部（３１）（３２）を設け、各境界部にロット（２）を１周以上、パーマ用脱着式フィルム（１）を巻き込むことで境界壁ができ、第１から第３までの１剤（４）（４１）（４２）が干渉し合うことなく、それぞれの箇所で適正な還元がなされ、さらに２浴式パーマ剤で必要な酸化２剤（４３）を付着させる時、ロット（２）に毛髪（３）を巻き付けたままパーマ用脱着式フィルム（１）のみを外し、毛髪（３）全体に酸化２剤（４３）を付着させることが出来る。それによって、いままで困難であった、均一な波形を形成することが可能となる。
【００１６】  本発明のパーマ用脱着式フィルム（１）を使用することにより、毛髪（３）の損傷に応じて還元力を調整した第１から、第３までの１剤（４）（４１）（４２）を毛髪（３）に付着させ、フィルム本体（１１）で境界壁を作ることにより、薬剤の干渉を防ぐと共に、酸化２剤（４３）を毛束（３）全体に付着させる際、パーマ用脱着式フィルム（１）をロット（２）から外し、毛束（３）全体に酸化２剤（４３）を付着させることが出来る。それにより毛先部（３４）から根元部（３３）まで均一な波形を形成することが出来る。
【００１７】  第１の１剤（４）、第２の１剤（４１）、第３の１剤（４２）の配合の違いは一つに還元力の差である。そうする事によって毛髪（３）の各箇所に起きた損傷の度合いに応じた波形を形成することが出来る。また、すでに波形が形成されている箇所には還元力を持たない薬剤を付着させ、不要な還元を起こさないようにする事も出来る。
溝（１３）を有せず、縦に裂け易く延伸したフィルム等、
裂け易さの方向が異なる異方性の素材を使用し、切り欠き（１８）から下辺（１５）まで、フィルム本体の長さ方向に裂け易いようにする構造でもよい。
パーマ用脱着式フィルム（１）は２種類以上の１剤を使用する場合に、有効で境界部の箇所に合わせて、複数使用可能である。
【符号の説明】
【００１８】１    パーマ用脱着フィルム
１１  フィルム本体
１２  つまみ部
１３  溝
１４  上辺
１５  下辺
１６  左辺
１７  右辺
１８  切り欠き
イ    パーマ用脱着式フィルム
ロ    パーマ用脱着式フィルム
２    ロット
３    毛髪
３１  第１境界部
３２  第２境界部
３３  根元部
３４  毛先部
３５  頭皮
４      第１の１剤
４１  第２の１剤
４２  第３の１剤
４３  酸化２剤
【図１】
2018027280.tif 000003
【図２】
2018027280.tif 000004
【図３】
2018027280.tif 000005
【図４】
2018027280.tif 000006